(57)【要約】      （修正有）【課題】簡単な方法で、工具を一切使わないで取り付けられるピッキング犯罪等を防止する。【解決手段】建具用錠機構はドア枠Ｈ−２と共にドアＨ−１に取り付けて使用する。基板２は充分な強度の平坦な鋼板を用い、片面には粘着テープが取り付けられ、ドアＨ−１の室内側の面に接着される。粘着テープは充分な貼り付け強度を持つ両面テープを用いる。これにより、ドアＨ−１には穴あけ、ボルト締め等の特別な工事を必要としない。【選択図】図４
0003104982.tif 000002
【実用新案登録請求の範囲】
【請求項１】
建築物等に取り付けられたドア枠Ｈ−２に対して、移動可能に配位された建具ドアＨ−１に取り付けられた建具用錠機構１において、この建具錠機構はドアＨ−１に対して取り付けられた基板２と、基板２に設けられ基板２から距離の調整が可能である位置調整手段３と、位置調整手段３に取り付けられ、上下自在な閂片６が内蔵された錠本体１−１とを有するものであり、それに４を差し込むことにより３と１−１を固定し４がズレ落ちないようにするゴム５−２を５−１に入れ固定する。閂片６は、リモコン操作によって出没動作がなされるものであることを特徴とする建具用錠機構。
【考案の詳細な説明】
【技術分野】
【０００１】  本願考案は、ドア等開閉する建具に設けられる建具用錠機構に関し、工具を一切使用せず、取り付けられるものである。
【背景の技術】
【０００２】  住宅等のドアを施錠するための手段としては、従来よりシリンダー錠が広く用いられている。この製品は錠穴に凹凸が刻まれた鍵を挿入し回転させることにより、鍵穴の内部に複数配置されている、棒状体であるタンブラーを移動させ、解錠可能な状態とするもの。
【０００３】  ０００２で延べたシリンダー錠は、鍵穴に針金等を差し込むことによって解錠されてしまうことがあり、しっかり施錠しているにもかかわらず、シリンダー錠の知識がある者により、窃盗等の被害にあうことがあり、不安なものであった。
【０００４】  上記に延べた対策として一ツのドアにシリンダー錠をもう一ツ設けた番号入力による電子式錠、指紋式錠に交換する方法が考えられるが、それぞれの錠機構の形状が一致しない為、大掛かりな工事と費用がネックとなり対応が難しかった。
【考案の開示】
【考案が解決しようとする課題】
【０００５】  本願考案は上記の問題に鑑みてなされたものであり、従来の錠等が取り付けられたドアに対して簡単な方法でなおかつ工具を一切使わないで取り付けられる。防犯対策を施することの出来る錠機構を提供することを課題とする。
【課題を解決するための手段】
【０００６】  本願第一の考案は、建築物に取り付けられたドア枠Ｈ−２に対してドアＨ−１に取り付けられた建具用錠機構１において、１はＨ−１に対して取り付けられた２、溶接固定された２からの距離の調整が可能である。３に調整４によって固定、リモコン操作によって６が上下しＨ−２に固定、解錠ができる特徴とする建具用錠機構を提供する。
【考案の効果】
【０００７】  本製品は上記のように構成され取り付けられるものである為、ドアＨ−１には、錠機構は全く現れることがない。よっていわゆる「ピッキング」犯等により不正手段で解除されてしまうことなく、高い安全性を有するものである。
【考案の実施形態】
【０００８】  図面に基づき本願考案の実施形態の一例をとりあげて説明する。
図１図２は、本例の建具錠機構を四方向から示す図であり、図３図４は本例の建具錠機構をドアにつけた状態である。
【０００９】  本例の建具用錠機構１は図３図４に示されているように、ドア枠Ｈ−２と共にドアＨ−１に取り付けて使用するものである。
【００１０】２は充分な強度の強さを有する平坦な鋼板を用いている。
２の片面には粘着テープ９が取り付けられこの粘着テープによりドアＨ−１の室内側の面に接着される。粘着テープは充分な貼り付け強度を持つ両面テープを用いる。これにより、ドアＨ−１には穴あけ、ボルト締め等の特別な工事を必要としない。
【００１１】  ２の他面には３が設けられている。この３は、アルミ硬材を２．５ミリの凹凸状の金棒にしたもので、高さを調整することができる。調整したあとに４を１−１と３の間（上下）に挿入し、５−２を５−１に挿入することにより、固定されなおかつ充分な強度を保つ。
【００１２】１−１はアルミニュウムでできた箱状の物です。この中に電池モーター、ギア、電気回路等からなる駆動機構によって６が上下動作する。６が１−１から突出したさいにドア枠Ｈ−２に接しドアＨ−１が開かない仕組みになっている。
【００１３】  駆動機構１−１とは別体のリモコン（図示しない）によって駆動される。リモコンは操作時に微弱な電波が発信される物であり、その電波を１−１に内蔵されている。受信部が捕らえられることにより、駆動させる。
【００１４】  上記の他に１−１には手動レバー１０、ブザー電池残量警告灯７が設けられている。１０は室内側から手動操作により６を操作することができる。ブザーは施錠、解錠時、及び電池残量が少なくなった時、音を発する物であり、施錠、解錠を電池交換が確実に行われたことを使用者に知らせる物である。電池残量警告灯は、電池の交換時期が近づいた際に点灯するもの。
【００１５】  ここで従来の錠機構図５に示すようにボルトＴ−１をドライバー等で固定しＴ−２をスパナ等で固定する。さらにＴを調整した後Ｔ−３、Ｔ−４で、２本のスパナ等で固定する作業が発生し、それぞれ４箇所を固定する場合、なかなかレベル調整が出しにくいものだった。これに対し本製品３は前後左右を正確な凹凸が出されており、なおかつ４を挿入するという単純な作業で誰にでも容易に取り付けることができる。
【実施例】
【００１６】  本願いの考案にあっては、ドア等の建具に室外側から、錠機構が全く現れず不正手段により解錠されてしまうことがなく、高い安全性を有し、Ｈ−１、Ｈ−２に穴あけも一切せず、工具も一切使用せず、女性にも容易に取り付けられる製品である。【００１７】  本製品は暗い場所でも鍵穴を探す必要がなく車椅子等身体の不自由な方でも、容易に開閉することができるものである。
【図面の簡単な説明】
【００１８】
【図１】Ａ−１からＡ−２は本願考案実施形態の一例である二方向から示す図面である。
【図２】Ａ−３からＡ−４は本願考案実施形態の一例である二方向から示す図面である。
【図３】同建具用錠機構をドアに取り付けた状態を示す斜視図である。
【図４】同建具用錠機構をドアに取り付けた状態を示す上面図の説明である。
【図５】従来の建具用錠機構をドアに取り付けた状態を示す側面視の説明である。
【符号の説明】
【００１９】１        建具用錠機構
１−１    錠本体
２        基板
３        位置調整金棒
４        本体とボルトを固定する鋼板
５−１    落下防止補助ゴム挿入穴
５−２    落下防止補助ゴム
６        閂片
７        電池残量警告灯
８        アンテナ
９        粘着テープ
１０      手動操作レバー
Ｈ−１    建具、ドア
Ｈ−２    固定枠
Ｔ        従来製品本体
Ｔ−１    調整ボルト
Ｔ−２    基板固定ナット
Ｔ−３    本体固定ナット
Ｔ−４    本体固定ナット
【図１】
0003104982.tif 000003
【図２】
0003104982.tif 000004
【図３】
0003104982.tif 000005
【図４】
0003104982.tif 000006
【図５】
0003104982.tif 000007
【手続補正書】
【提出日】平成16年6月1日(2004.6.1)
【手続補正１】
【補正対象書類名】実用新案登録請求の範囲
【補正対象項目名】全文
【補正方法】変更
【補正の内容】
【実用新案登録請求の範囲】
【請求項１】
建物等に取付けられた固定枠Ｈ−２に対して、移動可能に配置された建具ドアＨ−１に取付けられた建具用錠機構１においてこの建具機構は建具ドアＨ−１に対して取付けられた基板２と基板２に設けられ基板２から距離の調整が可能である位置調整金棒３と位置調整金棒３に取付けられ上下自在な閂片６が内蔵された錠本体１−１とを有するものでありそれに本体とボルトを固定する鋼板４を挿し込むことにより位置調整金棒３と錠本体１−１を固定し本体とボルトを固定する鋼板４がズレ落ちないように落下防止補助ゴム５−２を落下防止補助ゴム挿入穴５−１に入れ固定するものであり、閂片６はリモコン操作によって出没動作がなされるものであることを特徴とする建具用錠機構である。